(57)【要約】  電子機器であるインバータ（１）は、配線接続部（１１）を有する電子機器本体（１０）と、電子機器本体（１０）に着脱自在な配線カバー（２０）とを備える。配線カバー（２０）は、電子機器本体（１０）に取り付けられると  配線接続部（１１）を保護するとともに、外壁（３２）に表示器（５０）と操作部（６０）とのうち少なくとも一方が設けられている。配線カバー（２０）の筐体（３０）のうちの配線接続部（１１）に対向する他の外壁（３１）の少なくとも一部分が、絶縁材により構成される。
2018025357.tif 000002
【特許請求の範囲】
【請求項１】
配線接続部を有する電子機器本体と、
前記電子機器本体に着脱自在であり、かつ前記電子機器本体に取り付けられると前記配線接続部を保護するとともに、外壁に表示器と操作部とのうち少なくとも一方が設けられた配線カバーと、を備え、
前記配線カバーの筐体のうちの前記配線接続部に対向する他の外壁の少なくとも一部分が、絶縁材により構成される
ことを特徴とする電子機器。
【請求項２】
前記絶縁材により構成された前記一部分が、前記配線接続部の駆動機器に接続する動力用機器接続端子と対向する
ことを特徴とする請求項１に記載の電子機器。
【請求項３】
前記配線カバーは、前記電子機器本体から取り外された際に、板材に取り付け可能とする板材取付け部を備える
ことを特徴とする請求項１に記載の電子機器。
【請求項４】
配線接続部を有する電子機器本体と、
前記電子機器本体に着脱自在であり、かつ前記電子機器本体に取り付けられると前記配線接続部を保護するとともに、外壁に表示器と操作部とのうち少なくとも一方が設けられた配線カバーと、を備え、
前記配線カバーは、前記電子機器本体から取り外された際に、板材に取り付け可能とする板材取付け部を備える
ことを特徴とする電子機器。
【発明の詳細な説明】
【技術分野】
【０００１】
本発明は、配線接続部を保護することが可能な配線カバーを備えた電子機器に関する。
【背景技術】
【０００２】
駆動機器であるモータに供給する電圧値を少なくとも変更して、モータの回転速度及びトルクを制御するインバータ（特許文献１参照）が用いられている。【０００３】
特許文献１に示されたインバータは、ユーザが操作するための操作部を覆う操作パネルカバーと、操作パネルカバーの両側端に配線接続部を覆う接続部カバーとを設けている。接続部カバーは、操作パネルカバーと別体に形成されて、操作パネルカバーの両側端に着脱自在である。
【先行技術文献】
【特許文献】
【０００４】
【特許文献１】特開平８−６６０５０号公報
【発明の概要】
【発明が解決しようとする課題】
【０００５】
特許文献１に示されたインバータは、操作パネルカバーの両側端に接続部カバーを着脱自在に設けているので、操作部の大きさをユーザの操作を容易にする大きさとすると、インバータ自体の小型化が困難であった。【０００６】
本発明は、上記に鑑みてなされたものであって、小型化を可能とすることができる電子機器を得ることを目的とする。
【課題を解決するための手段】
【０００７】
上述した課題を解決し、目的を達成するために、本発明は、配線接続部を有する電子機器本体と、電子機器本体に着脱自在な配線カバーとを備える電子機器において、配線カバーは、電子機器本体に取り付けられると配線接続部を保護するとともに、外壁に表示器と操作部とのうち少なくとも一方が設けられている。配線カバーの筐体のうちの配線接続部に対向する他の外壁の少なくとも一部分が、絶縁材により構成される。
【発明の効果】
【０００８】
本発明によれば、電子機器の小型化を可能とすることができる、という効果を奏する。
【図面の簡単な説明】
【０００９】
【図１】本発明の実施の形態１に係る電子機器であるインバータの斜視図
【図２】図１に示されたインバータの電子機器本体から配線カバーを取り外した状態を示す斜視図
【図３】実施の形態１に係る配線カバーの斜視図
【図４】図３中のＩＶ−ＩＶ線に沿う断面図
【図５】本発明の実施の形態２に係る電子機器であるインバータの斜視図
【図６】図５に示されたインバータの電子機器本体に他の電子機器を取り付けた状態を示す斜視図
【図７】本発明の実施の形態３に係る電子機器であるインバータの配線カバーを板材に取り付けた状態を示す斜視図
【図８】図７に示された配線カバーを板材に取り付ける状態を一部断面で示す図
【図９】本発明の実施の形態４に係る電子機器であるインバータの配線カバーを板材に取り付ける状態を一部断面で示す図
【図１０】本発明の実施の形態５に係る電子機器であるインバータの配線カバーを背面からみた斜視図
【図１１】図１０に示された配線カバーを板材に取り付ける状態を一部断面で示す図
【図１２】本発明の実施の形態６に係る電子機器であるインバータの斜視図
【発明を実施するための形態】
【００１０】
以下に、本発明の実施の形態にかかる電子機器を図面に基づいて詳細に説明する。電子機器としてはモータを駆動するインバータを例に挙げるが、それ以外の機器であっても同様な効果が得られる。なお、この実施の形態によりこの発明が限定されるものではない。
【００１１】
実施の形態１．
図１は、本発明の実施の形態１に係る電子機器であるインバータの斜視図、図２は、図１に示されたインバータの電子機器本体から配線カバーを取り外した状態を示す斜視図である。
【００１２】
図１に示す実施の形態１に係る電子機器であるインバータ１は、ＦＡ（Factory  Automation）分野の設備を構成するものであり、駆動機器である図２に示すモータ１００の回転速度及びトルクを制御する電子機器である。実施の形態１において、電子機器は、インバータ１であるが、インバータ１に限定されない。インバータ１は、モータ１００に印加する電圧値及びモータ１００に印加する電圧値の周波数の少なくとも一方を変更して、モータ１００の回転速度及びトルクを制御する。モータ１００に印加する電圧値及びモータ１００に印加する電圧値の周波数は、モータ１００に印加する電圧のパラメータである。
【００１３】
インバータ１は、図２に示すように、配線接続部１１を有する電子機器本体１０と、電子機器本体１０に着脱自在な配線カバー２０とを備える。電子機器本体１０は、電圧を制御する制御回路を実装した回路基板１２と、回路基板１２を収容する筐体１３とを備える。筐体１３は、金属又は合成樹脂により構成され、箱状に形成されている。筐体１３は、配線カバー２０が取り付けられる切欠き部１３ａを備える。
【００１４】
配線接続部１１は、回路基板１２に接続され、かつ、切欠き部１３ａに設けられている。配線接続部１１は、制御用の複数の端子台１１ａと、モータ１００に接続する動力用機器接続端子である機器接続端子台１１ｂとを備える。端子台１１ａは、モータ１００に印加する電圧のパラメータを設定するための制御信号が入力する。機器接続端子台１１ｂは、モータ１００を駆動する電圧をモータ１００に供給する。
【００１５】
実施の形態１において、複数の端子台１１ａと機器接続端子台１１ｂとは、電子機器本体１０の幅方向に間隔をあけて並べられているが、端子台１１ａ及び機器接続端子台１１ｂの配置は、これに限定されない。また、機器接続端子台１１ｂは、実施の形態１において、二つ設けられ、二つの機器接続端子台１１ｂは、電子機器本体１０の切欠き部１３ａの幅方向の一方の端部に配置されている。また、切欠き部１３ａの幅方向の他方の端部には、配線カバー２０と接続するためのコネクタ１４が設けられている。
【００１６】
次に、配線カバー２０を図面に基づいて説明する。図３は、実施の形態１に係る配線カバーの斜視図、図４は、図３中のＩＶ−ＩＶ線に沿う断面図である。配線カバー２０は、電子機器本体１０に取り付けられると配線接続部１１を保護するものである。配線カバー２０は、図３及び図４に示すように、電子機器本体１０に着脱自在な扁平な箱状の筐体３０と、筐体３０内に収容される回路基板４０と、回路基板４０に実装された図２に示す表示器５０と、回路基板４０に実装された図２に示す操作部６０と、電子機器本体１０の回路基板１２に接続するコネクタ７０とを備える。実施の形態１において、インバータ１の配線カバー２０は、表示器５０と操作部６０とを備えるが、これに限定されることなく、表示器５０と操作部６０との少なくとも一方を備えれば良い。
【００１７】
回路基板４０は、表示器５０と操作部６０とコネクタ７０とを実装し、表示器５０及び操作部６０と電子機器本体１０の回路基板１２とを接続する。表示器５０は、配線カバー２０が電子機器本体１０に取り付けられた際に筐体３０の外壁３２に露出して設けられ、モータ１００に印加する電圧のパラメータなどを表示する。操作部６０は、筐体３０の外壁３２に露出して設けられ、モータ１００に印加する電圧のパラメータなどを変更するためのユーザの操作を受け付ける。即ち、配線カバー２０は、外壁３２に表示器５０と操作部６０とが設けられている。実施の形態１において、表示器５０及び操作部６０が設けられた外壁３２は、配線カバー２０が電子機器本体１０に取り付けられた際に切欠き部１３ａに対向する筐体３０の外壁３１の裏側に位置しているが、表示器５０及び操作部６０の位置は、これに限定されない。
【００１８】
また、実施の形態１において、表示器５０は、操作部６０の上方に設けられるが、表示器５０と操作部６０との相対位置は、これに限定されない。実施の形態１において、表示器５０は、蛍光表示管により構成されるが、これに限定されることなく、ＬＥＤ（Light  Emitting  Diode）、液晶ディスプレイ、有機ＥＬ（Electro-Luminescence）ディスプレイ、又は無機ＥＬディスプレイにより構成されても良い。実施の形態１において、操作部６０は、複数の押しボタン式のスイッチにより構成されるが、これに限定されることなく、ダイヤル式のスイッチにより構成されても良い。
【００１９】
コネクタ７０は、配線カバー２０が電子機器本体１０に取り付けられた際に配線接続部１１に対向する筐体３０の他の外壁３１に設けられている。コネクタ７０が設けられた外壁３１と、表示器５０及び操作部６０が設けられた外壁３２とは、互いに異なるものである。また、外壁３１は、配線カバー２０が電子機器本体１０に取り付けられた際に配線接続部１１に対向する。筐体３０は、電子機器本体１０の切欠き部１３ａに取り付けられる。配線カバー２０が電子機器本体１０に取り付けられると、コネクタ７０は、コネクタ１４と接続する。
【００２０】
筐体３０は、配線カバー２０が電子機器本体１０の切欠き部１３ａに取り付けられると、配線接続部１１を電子機器本体１０とともに覆って、配線接続部１１を保護する。筐体３０は、電子機器本体１０に取り付けられると配線接続部１１に対向する外壁３１の少なくとも一部分３１ａが、絶縁材８０により構成される。実施の形態１において、筐体３０は、絶縁材８０により構成された外壁３１の一部分３１ａが配線接続部１１の機器接続端子台１１ｂに対向するが、絶縁材８０により構成される外壁３１の一部分３１ａの配置は、これに限定されない。また、筐体３０は、絶縁材８０により構成される一部分３１ａ以外は、金属により構成されても良く、合成樹脂により構成されてもよく、絶縁材８０により構成されても良い。絶縁材８０は、ＡＢＳ（Acrylonitrile Butadiene Styrene）樹脂、ＰＣ（Polycarbonate）、ＰＣＴ（Polycyclohexylene-dimethylene terephthalate）、又はＰＥＴ（Poly Ethylene Terephthalate）などの絶縁材により構成される。筐体３０は、一部分３１ａ以外が金属により構成される場合には、外表面に絶縁性を有するシートが取り付けられるのが望ましい。なお、本発明でいう外壁３１の少なくとも一部分３１ａが絶縁材８０により構成されるとは、外壁３１の一部分３１ａ自体が絶縁材８０により構成されることと、外壁３１の全体が絶縁材８０により構成されることと、外壁３１の一部分３１ａの外表面に絶縁材８０により構成されたシートを設けることとを示す。
【００２１】
実施の形態１のインバータ１は、電子機器本体１０に取り付けられると配線接続部１１を保護する配線カバー２０に操作部６０と表示器５０とを設けているので、操作部６０を操作しやすく表示器５０を表示した情報を見やすい大きさにしたとしても、電子機器本体１０の大きさを配線カバー２０の大きさまで小型化することができる。その結果、インバータ１は、操作部６０を操作しやすく表示器５０を表示した情報を見やすい大きさにしたとしても、小型化を可能とすることができる。
【００２２】
本実施の形態では、配線カバー２０を電子機器本体１０から着脱自在としているが、電子機器本体１０から完全に取り外しができなくても問題ない。電子機器本体１０の配線接続部１１にユーザが配線などを実施できれば、配線カバー２０は電子機器本体１０の一部に取り付けられたままで開閉可能な程度に着脱自在であればよい。
【００２３】
また、実施の形態１のインバータ１は、配線カバー２０の筐体３０の一部分３１ａが絶縁材８０により構成されているので、配線接続部１１の各端子台１１ａ，１１ｂと配線カバー２０とを電気的に絶縁することができる。
【００２４】
また、実施の形態１のインバータ１は、配線カバー２０において絶縁材８０により構成された一部分３１ａが配線接続部１１の機器接続端子台１１ｂと対向する位置に配置されているので、機器接続端子台１１ｂと配線カバー２０とを電気的に絶縁することができる。
【００２５】
本実施の形態１では、配線カバー２０の一部分が絶縁材８０により構成されているが、これは、配線カバー２０の一部分に絶縁材シールなどを貼り付けされた構成であっても問題ないことは言うまでもない。
【００２６】
実施の形態２．
次に、実施の形態２に係る電子機器であるインバータ１−２を、図面を参照して説明する。図５は、本発明の実施の形態２に係る電子機器であるインバータの斜視図、図６は、図５に示されたインバータの電子機器本体に他の電子機器を取り付けた状態を示す斜視図である。なお、図５及び図６は、実施の形態１と同一部分に同一符号を付して説明を省略する。
【００２７】
実施の形態２に係る電子機器である図５に示すインバータ１−２は、図６に示す他の電子機器２００を取り付ける機器取付部９０を備えること以外、実施の形態１のインバータ１と同じ構成である。機器取付部９０に取り付けられる他の電子機器２００は、インバータと組み合わせて使用するものが考えられ、例として、ＣＰＵ（Central Processing Unit）ユニット、アナログ入力ユニット、アナログ出力ユニット、又はリモートＩ／Ｏユニットが挙げられる。ＣＰＵ（Central Processing Unit）ユニット、アナログ入力ユニット、アナログ出力ユニット、及びリモートＩ／Ｏユニットは、ＦＡ分野の設備を構成するプログラマブルロジックコントローラ（Programmable  Logic  Controller：ＰＬＣ）を構成する電子機器である。
【００２８】
実施の形態２において、機器取付部９０は、図５に示すように、電子機器本体１０の外表面１３ａに設けられた一以上のねじ穴９１により構成されている。実施の形態２において、機器取付部９０を構成するねじ穴９１は、電子機器本体１０に取り付けられた配線カバー２０の外壁３２と平行となる電子機器本体１０の外表面１３ａの四隅に設けられているが、ねじ穴９１が設けられる位置は、これに限定されない。機器取付部９０は、図６に示すように、他の電子機器２００を貫通したねじ９２がねじ穴９１にねじ込まれることにより、外表面１３ａに他の電子機器２００を取り付ける。
【００２９】
実施の形態２のインバータ１−２は、実施の形態１と同様に、配線カバー２０に操作部６０と表示器５０とを設けているので、操作部６０を操作しやすく表示器５０を表示した情報を見やすい大きさにしたとしても、小型化を可能とすることができる。
【００３０】
また、実施の形態２のインバータ１−２は、電子機器本体１０の外表面１３ａに他の電子機器２００を取り付けるので、設備の設置スペースを抑制することができる。
【００３１】
実施の形態３．
次に、実施の形態３に係る電子機器であるインバータ１を、図面を参照して説明する。図７は、本発明の実施の形態３に係る電子機器であるインバータの配線カバーを板材に取り付けた状態を示す斜視図、図８は、図７に示された配線カバーを板材に取り付ける状態を一部断面で示す図である。なお、図７及び図８は、実施の形態１と同一部分に同一符号を付して説明を省略する。
【００３２】
実施の形態３に係る電子機器であるインバータ１は、図７に示すように、配線カバー２０−３が電子機器本体１０から取り外された際に、板材３００に取り付け可能とする板材取付け部１１０を備えること以外、実施の形態１のインバータ１と同じ構成である。実施の形態３において、配線カバー２０−３が取り付けられる板材３００は、インバータなどの電子機器を収容する筐体の一つの外壁であるが、これに限定されない。
【００３３】
板材取付け部１１０は、配線カバー２０−３を貫通した一以上の孔１１１により構成される。実施の形態３において、孔１１１は、配線カバー２０−３の外壁３２の中心を挟んで互いに対角線上に位置する二つの隅に設けられているが、孔１１１の配置は、これに限定されない。
【００３４】
板材取付け部１１０は、図８に示すように、孔１１１及び板材３００に設けられた孔３０１を通ったねじ１１２の先端にナット１１３をねじ込むことにより、ねじ１１２の頭と板材３００との間に配線カバー２０−３を挟んで、配線カバー２０−３を板材３００に取り付ける。また、配線カバー２０−３は、板材３００に取り付けられると、配線ユニット４００によって、電子機器本体１０と接続される。配線ユニット４００は、一以上の電線４０１と、電線４０１の一端に取り付けられかつコネクタ７０と接続するコネクタ４０２と、電線４０１の他端に取り付けられかつコネクタ１４と接続するコネクタ４０３とを備える。
【００３５】
実施の形態３のインバータ１は、実施の形態１と同様に、配線カバー２０−３に操作部６０と表示器５０とを設けているので、操作部６０を操作しやすく表示器５０を表示した情報を見やすい大きさにしたとしても、小型化を可能とすることができる。
【００３６】
また、実施の形態３のインバータ１は、配線カバー２０−３を板材３００に取り付けることができるので、配線カバー２０−３を電子機器本体１０から取り外した状態でも使用することが可能となるので、インバータ１の操作性を向上することができる。
【００３７】
実施の形態４．
次に、実施の形態４に係る電子機器であるインバータ１を、図面を参照して説明する。図９は、本発明の実施の形態４に係る電子機器であるインバータの配線カバーを板材に取り付ける状態を一部断面で示す図である。なお、図９は、実施の形態３と同一部分に同一符号を付して説明を省略する。
【００３８】
実施の形態４のインバータ１は、配線カバー２０−４が、図９に示すように、板材取付け部１１０の孔１１１を通ったねじ１１２が板材３００に設けられたねじ孔３０２にねじ込まれることにより板材３００に取り付けられること以外、実施の形態３と同じ構成である。
【００３９】
実施の形態４のインバータ１は、実施の形態１と同様に、配線カバー２０−４に操作部６０と表示器５０とを設けているので、操作部６０を操作しやすく表示器５０を表示した情報を見やすい大きさにしたとしても、小型化を可能とすることができる。
【００４０】
また、実施の形態４のインバータ１は、ねじ１１２を孔１１１に通してねじ孔３０２にねじ込むことにより、配線カバー２０−４を板材３００に取り付けることができるので、実施の形態３と同様に、インバータ１の操作性を向上することができ、配線カバー２０−４を容易に板材３００に取り付けることができる。
【００４１】
実施の形態５．
次に、実施の形態５に係る電子機器であるインバータ１を、図面を参照して説明する。図１０は、本発明の実施の形態５に係る電子機器であるインバータの配線カバーを背面からみた斜視図、図１１は、図１０に示された配線カバーを板材に取り付ける状態を一部断面で示す図である。なお、図１０及び図１１は、実施の形態３と同一部分に同一符号を付して説明を省略する。
【００４２】
実施の形態５のインバータ１は、配線カバー２０−５の板材取付け部１１０−５が、図１０に示すように、配線カバー２０−５の外壁３１に設けられた複数のねじ孔１１４により構成されること以外、実施の形態３と同じ構成である。実施の形態５のインバータ１の配線カバー２０−５は、図１１に示すように、板材３００に設けられた孔３０１を通ったねじ１１５がねじ孔１１４にねじ込まれることにより、板材３００に取り付けられる。
【００４３】
実施の形態５のインバータ１は、実施の形態１と同様に、配線カバー２０−５に操作部６０と表示器５０とを設けているので、操作部６０を操作しやすく表示器５０を表示した情報を見やすい大きさにしたとしても、小型化を可能とすることができる。
【００４４】
また、実施の形態５のインバータ１は、板材３００に設けられた孔３０１を通ったねじ１１５をねじ孔１１４にねじ込むことにより、配線カバー２０−５を板材３００に取り付けることができるので、実施の形態３と同様に、インバータ１の操作性を向上することができ、配線カバー２０−５を容易に板材３００に取り付けることができる。
【００４５】
実施の形態６．
次に、実施の形態６に係る電子機器であるインバータ１−６を、図面を参照して説明する。図１２は、本発明の実施の形態６に係る電子機器であるインバータの斜視図である。なお、図１２は、実施の形態１と同一部分に同一符号を付して説明を省略する。
【００４６】
実施の形態６のインバータ１−６は、電子機器本体１０−６の大きさが配線カバー２０とほぼ同じ大きさであること以外、実施の形態１と同じ構成である。
【００４７】
実施の形態６のインバータ１−６は、実施の形態１と同様に、配線カバー２０に操作部６０と表示器５０とを設けているので、操作部６０を操作しやすく表示器５０を表示した情報を見やすい大きさにしたとしても、小型化を可能とすることができる。
【００４８】
また、実施の形態６のインバータ１−６は、電子機器本体１０−６の大きさが配線カバー２０の大きさとほぼ同じであるために、より小型化を図ることができる。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
１，１−２，１−６  インバータ（電子機器）、１０，１０−６  電子機器本体、１１配線接続部、１１ｂ  機器接続端子台（動力用機器接続端子）、２０，２０−３，２０−４，２０−５  配線カバー、３０  筐体、３１  他の外壁、３１ａ  一部分、３２  外壁、５０  表示器、６０  操作部、７０  コネクタ、１００  モータ（駆動機器）、１１０  板材取付け部、３００  板材。
【図１】
2018025357.tif 000003
【図２】
2018025357.tif 000004
【図３】
2018025357.tif 000005
【図４】
2018025357.tif 000006
【図５】
2018025357.tif 000007
【図６】
2018025357.tif 000008
【図７】
2018025357.tif 000009
【図８】
2018025357.tif 000010
【図９】
2018025357.tif 000011
【図１０】
2018025357.tif 000012
【図１１】
2018025357.tif 000013
【図１２】
2018025357.tif 000014
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
配線接続部を有する電子機器本体と、
前記電子機器本体に着脱自在であり、かつ前記電子機器本体に取り付けられると前記配線接続部を保護するとともに、外壁に表示器と操作部とのうち少なくとも一方が設けられた配線カバーと、を備え、
前記配線カバーの筐体のうちの前記配線接続部に対向する他の外壁の少なくとも一部分が、絶縁材により構成され、
前記配線カバーには、電線の一端に設けられたコネクタと接続可能なカバー側コネクタが設けられ、
前記電子機器本体には、前記電線の他端に設けられたコネクタと接続可能な本体側コネクタが設けられ、
前記配線カバーは、前記電子機器本体から取り外された際に、板材に取り付け可能とする板材取付け部を備える
ことを特徴とする電子機器。
【請求項２】
前記絶縁材により構成された前記一部分が、前記配線接続部の駆動機器に接続する動力用機器接続端子と対向する
ことを特徴とする請求項１に記載の電子機器。
【請求項３】
前記配線カバーを前記電子機器本体に装着することで、前記カバー側コネクタと前記本体側コネクタとが接続される
ことを特徴とする請求項１に記載の電子機器。
【国際調査報告】
2018025357.tif 000015
2018025357.tif 000016
2018025357.tif 000017
2018025357.tif 000018